(57)【要約】【課題】法面を保護する壁面パネルの脱落防止用のネット状シートを、壁面パネルに強固に固定する押さえ金具、およびその金具でネット状シートを壁面パネルに取付ける方法を提供する。【解決手段】壁面パネル22の枠に載置したネット状シート23を押圧固定するための押さえ金具であって、押さえ金具本体１と、これを壁面パネルの枠にボルト16で締め付けて押圧するためのワッシャ13とからなり、押さえ金具本体１の底面部材は、その長手方向の両端部にＬ字型のフランジを備え、横断面は押さえ面に対して垂直方向に山と谷を有する凹凸形状をなしている。ネット状シート23は押さえ金具本体の底面部材の谷部と壁面パネルの枠20との間に強固に挟み込まれるので、ネット状シート23による壁面パネルの保持が確実になる。【選択図】図１０
2006200289.tif 000002
【特許請求の範囲】
【請求項１】
下記の(a)から(c)までを特徴とする法面を保護する壁面パネルの脱落防止用ネット状シートを壁面パネルの枠に取付けるための押さえ金具。
(a)押さえ金具は、ネット状シートを押圧固定する押さえ金具本体と、その押さえ金具本体を壁面パネルの枠にボルト締めによって取付けるためのワッシャとからなること。
(b)押さえ金具本体は、底面部材の横断面が山と谷とを有する凹凸形状をなし、その山部または谷部には貫通したボルト孔を有しており、かつ、底面部材の長手方向の二端縁に底面部材に垂直なフランジを備えること。
(c)ワッシャは、押さえ金具本体のボルト孔に対応するボルト孔を有する矩形の底板と、その底板の相対する二端縁に設けられた押さえ金具本体の谷部を押圧するための押圧用リブと、底板の他の二端縁に設けられた押圧用リブと反対方向に曲げられたワッシャ補強用リブとを有すること。
【請求項２】
下記の(a)、(b)および(d)を特徴とする法面を保護する壁面パネルの脱落防止用ネット状シートを壁面パネルの枠に取付けるための押さえ金具。
(a)押さえ金具本体は、ネット状シートを押圧固定する押さえ金具本体と、その押さえ金具本体を壁面パネルの枠にボルト締めによって取付けるためのワッシャとからなること。
(b)押さえ金具本体は、底面部材の横断面が山と谷とを有する凹凸形状をなし、その山部または谷部には貫通したボルト孔を有しており、かつ、底面部材の長手方向の二端縁に底面部材に垂直なフランジを備えること。
(d)ワッシャは、押さえ金具本体のボルト孔に対応するボルト孔を有する矩形の底板と、その底板の相対する二端縁に設けられたフランジと、底板の他の二端縁に設けられて、このフランジと同方向に曲げられたワッシャ補強用リブとを有し、フランジの上端が前記の押さえ金具本体のフランジに嵌合するように折り返されており、かつフランジの長さがそのフランジの設けられている底板の縁の長さ以上であること。
【請求項３】
押さえ金具本体の少なくとも１つの谷が他の谷よりも浅い谷であることを特徴とする請求項１または請求項２に記載のネット状シートの押さえ金具。
【請求項４】
請求項３に記載の押さえ金具を用いて、法面を保護する壁面パネルの脱落防止用のネット状シートを壁面パネルの枠に取付ける方法であって、壁面パネルの枠と押さえ金具本体の底面部材との間にネット状シートを挟み、かつ横断面がコの字形のチャンネルをその凹部が押さえ金具本体の浅い谷部にネット状シートを介して重なるように壁面パネル枠に置き、ワッシャの押圧用リブが押さえ金具本体のフランジと平行になるようにして、押さえ金具本体のボルト孔とワッシャのボルト孔とを合わせてそれらの孔にボルトを挿入し、壁面パネルの枠に設けたボルト孔に螺着することを特徴とするネット状シートの取付け方法。
【請求項５】
請求項１から請求項３までのいずれかに記載の押さえ金具を用いて、法面を保護する壁面パネルの脱落防止用のネット状シートを壁面パネルの枠に取付ける方法であって、壁面パネルの枠と押さえ金具本体の底面部材との間に、ネット状シートの端部で折り返して二重にしたネット状シートをその折り返し部を除いて挟むと共に、ネット状シートの折り返し点の内側に棒状体を挿入し、押さえ金具のフランジとワッシャのフランジとを嵌合させるか、または押圧用リブを有するワッシャを用いる場合には、押さえ金具本体のフランジと押圧用リブとが平行になるようにして、押さえ金具本体のボルト孔とワッシャのボルト孔とを合わせてそれらの孔にボルトを挿入し、壁面パネルの枠に設けたボルト孔に螺着することを特徴とするネット状シートの取付け方法。
【請求項６】
請求項１から３までのいずれかに記載の押さえ金具を用いて、法面を保護する壁面パネルの脱落防止用のネット状シートを壁面パネルの枠に取付ける方法であって、予め壁面パネルの枠に凹凸部を設けておき、その壁面パネルの枠と押さえ金具本体の底面部材との間にネット状シートを挟み、押さえ金具本体の底面部材の谷と山がそれぞれ壁面パネルの枠の凹部と凸部に重なるように配置し、押さえ金具本体のフランジとワッシャフランジを嵌合させるか、または押圧用リブを有するワッシャを用いる場合には、ワッシャの押圧用リブが押さえ金具本体のフランジと平行になるようにして、押さえ金具本体のボルト孔とワッシャのボルト孔とを合わせてそれらの孔にボルトを挿入し、壁面パネルの枠に設けたボルト孔に螺着することを特徴とするネット状シートの取付け方法。
【発明の詳細な説明】
【技術分野】
【０００１】
本発明は、山の斜面および道路や線路を敷設するために盛り土した斜面、宅地や公園等の造成のために削った丘陵の斜面など、通常、法面（のりめん）と呼ばれる面を補強するのに使用される壁面パネルの脱落を防止するためのネット状シートを前記壁面パネルに固定する金具、およびそのネット状シートの取付け方法に関する。
【背景技術】
【０００２】
山や丘陵の一面を削り取っただけの法面は、そのままでは雨水による崩壊のおそれがあり、また、落石事故が発生する危険がある。従って、何らかの手段で補強して崩壊や落石等を防止する必要がある。
【０００３】
法面補強には、ネットによる被覆やコンクリートによる被覆が多用されてきた。しかし、ネットでは補強効果が乏しく、落石防止の効果も小さい。一方、コンクリート被覆は、工事費が嵩み、しかも仕上がり面の美観に欠ける。そこで、近年は、工場生産されたパネル状の壁面材（以下、壁面パネルという）を張って補強する工法が採用されつつある。この壁面パネルとして、部分的にメッシュ状や格子状になったパネルを使用すれば、法面に植栽して緑化することも可能である。
【０００４】
特許文献１には、壁面緑化パネルを用いる工法の発明が開示されている。その工法の特徴は、壁面材であるパネルの内側に充填する盛り土の中に補強材（ネット）を敷設し、その一端をパネルに固定してパネルの脱落を防止する点にある。
【０００５】
【特許文献１】特開２００３−２１３６８９号公報  図１４は、この特許文献に開示されている図で、傾斜した法面４０に緑化パネル（壁面パネル）４１を設置した状態を示す図である。このパネル４１には連結ブラケット４２が設けられており、そのブラケットにポリエステルや塩ビ等の合成樹脂により形成された網状の補強材、即ち、ネット状シート４３の一端が固定されている。このネット状シートは土砂４４の中に埋設されており、容易には抜けないので、パネルの脱落が防止されるのである。
【０００６】
上記の工法は、壁面パネルによって土砂の崩壊が完全に防止され、しかも法面の緑化もできる画期的な工法である。しかし、この工法には次のような難点がある。
【０００７】
即ち、パネルの内側に充填されるのが土砂であるために、パネルに外向きの圧力（土圧）が作用する。また、パネルの内側に充填された土砂は、雨水や振動の影響で時間が経つにつれて沈下する。これらによってネット状シートには過大な引張力が生じる。そのため、ネット状シートが連結ブラケットとの連結部分で破断してパネルが脱落するおそれがある。
【発明の開示】
【発明が解決しようとする課題】
【０００８】
本発明の目的は、壁面パネルにネット状シートを強固に固定でき、使用中に生じる固定部でのネット状シートの破断や離脱を防止することができ、しかも現場での施工が容易で輸送性や保管性に優れたネット状シートの押さえ金具を提供することにある。また、この押さえ金具を用いてネット状シートを壁面パネルに取付ける方法を提供することも本発明の目的である。
【課題を解決するための手段】
【０００９】
本発明の要旨は、下記（１）〜（３）のネット状シートの押さえ金具、および（４）〜（６）のネット状シートの取付け方法にある。
【００１０】
（１）下記の(a)から(c)までを特徴とする法面を保護する壁面パネルの脱落防止用ネット状シートを壁面パネルの枠に取付けるための押さえ金具。
【００１１】
(a)押さえ金具は、ネット状シートを押圧固定する押さえ金具本体と、その押さえ金具本体を壁面パネルの枠にボルト締めによって取付けるためのワッシャとからなること。
【００１２】
(b)押さえ金具本体は、底面部材の横断面が山と谷とを有する凹凸形状をなし、その山部または谷部には貫通したボルト孔を有しており、かつ、底面部材の長手方向の二端縁に底面部材に垂直なフランジを備えること。
【００１３】
(c)ワッシャは、押さえ金具本体のボルト孔に対応するボルト孔を有する矩形の底板と、その底板の相対する二端縁に設けられた押さえ金具本体の谷部を押圧するための押圧用リブと、底板の他の二端縁に設けられた押圧用リブと反対方向に曲げられたワッシャ補強用リブとを有すること。
【００１４】
（２）下記の(a)、(b)および(d)を特徴とする法面を保護する壁面パネルの脱落防止用ネット状シートを壁面パネルの枠に取付けるための押さえ金具。
【００１５】
(a)押さえ金具本体は、ネット状シートを押圧固定する押さえ金具本体と、その押さえ金具本体を壁面パネルの枠にボルト締めによって取付けるためのワッシャとからなること。
【００１６】
(b)押さえ金具本体は、底面部材の横断面が山と谷とを有する凹凸形状をなし、その山部または谷部には貫通したボルト孔を有しており、かつ、底面部材の長手方向の二端縁に底面部材に垂直なフランジを備えること。
【００１７】
(d)ワッシャは、押さえ金具本体のボルト孔に対応するボルト孔を有する矩形の底板と、その底板の相対する二端縁に設けられたフランジと、底板の他の二端縁に設けられて、このフランジと同方向に曲げられたワッシャ補強用リブとを有し、フランジの上端が前記の押さえ金具本体のフランジに嵌合するように折り返されており、かつフランジの長さがそのフランジの設けられている底板の縁の長さ以上であること。
【００１８】
（３）押さえ金具本体の少なくとも１つの谷が他の谷よりも浅い谷であることを特徴とする上記（１）または（２）のネット状シートの押さえ金具。
【００１９】
（４）下記4-1と4-2の工程を特徴とする上記（３）の押さえ金具を用いて法面を保護する壁面パネルの脱落防止用のネット状シートを壁面パネルの枠に取付ける方法。
【００２０】
4-1．壁面パネルの枠と押さえ金具本体の底面部材との間にネット状シートを挟み、かつ横断面がコの字形のチャンネルをその凹部が押さえ金具本体の浅い谷部にネット状シートを介して重なるように壁面パネル枠に置く。
【００２１】
4-2．ワッシャの押圧用リブが押さえ金具本体のフランジと平行になるようにして、押さえ金具本体のボルト孔とワッシャのボルト孔とを合わせてそれらの孔にボルトを挿入し、壁面パネルの枠に設けたボルト孔に螺着する。
【００２２】
（５）下記5-1と5-2の工程を特徴とする上記（１）から（３）までのいずれかに記載の押さえ金具を用いて、法面を保護する壁面パネルの脱落防止用のネット状シートを壁面パネルの枠に取付ける方法。
【００２３】
5-1．壁面パネルの枠と押さえ金具本体の底面部材との間に、ネット状シートの端部で折り返して二重にしたネット状シートをその折り返し部を除いて挟む。
【００２４】
5-2．ネット状シートの折り返し点の内側に棒状体を挿入し、押さえ金具のフランジとワッシャのフランジとを嵌合させるか、または押圧用リブを有するワッシャを用いる場合には押さえ金具本体のフランジと押圧用リブとが平行になるようにして、押さえ金具本体のボルト孔とワッシャのボルト孔とを合わせてそれらの孔にボルトを挿入し、壁面パネルの枠に設けたボルト孔に螺着する。
【００２５】
（６）下記6-1と6-2の工程を特徴とする上記（１）から（３）までのいずれかの押さえ金具を用いて、法面を保護する壁面パネルの脱落防止用のネット状シートを壁面パネルの枠に取付ける方法。
【００２６】
6-1．予め壁面パネルの枠に凹凸部を設けておき、その壁面パネルの枠と押さえ金具本体の底面部材との間にネット状シートを挟み、押さえ金具本体の底面部材の谷と山がそれぞれ壁面パネルの枠の凹部と凸部に重なるように配置する。
【００２７】
6-2．押さえ金具本体のフランジとワッシャのフランジを嵌合させるか、または押圧用リブを有するワッシャを用いる場合には、ワッシャの押圧用リブが押さえ金具本体のフランジと平行になるようにして、押さえ金具本体のボルト孔とワッシャのボルト孔とを合わせてそれらの孔にボルトを挿入し、壁面パネルの枠に設けたボルト孔に螺着する。
【００２８】
なお、上記の（５）でいう棒状体とは、中実の棒状体以外に中空の管体も含むものとする。また、横断面は円形であっても多角形であってもよい。その材質には特別な制約はないが、鋼や樹脂等が好ましい。
【発明の効果】
【００２９】
本発明の押さえ金具においては、押さえ金具本体の底面部材の横断面が押さえ面に対して垂直方向に凹凸形状になっているため剛性が大きい。そして、特殊なワッシャを用いることにより押さえ金具本体の凹部の底面、即ち、ネット状シートを押さえる面に押圧力を集中させることができるので単位面積当たりの押圧力が高まる。従って、ネット状シートを壁面パネルに強固に固定できるだけでなく、ネット状シートの押圧面積が大きいので、図１４に示したようなブラケットにネット状シートの一部を係合させるのに較べて、ネット状シートの破断およびそれに伴う壁面パネルの脱落を防止することができる。
【００３０】
ワッシャにはワッシャ補強用リブを設けると共に、フランジかまたは押圧リブを設けてワッシャそのものの剛性を高めているため、ボルトによる締め付け力がボルト頭部の周辺の局部に集中する現象を避けることができる。従って、押さえ金具本体の押さえ面（凹部の底面）にボルトの締め付け力を均等に伝達することができるので、ネット状シートの強固な固定ができ、かつその破断防止に効果的である。また、ワッシャに設けたフランジまたは押圧用リブにより、ボルト締めによる押さえ金具全体の変形が防止できる。
【発明を実施するための最良の形態】
【００３１】
図１は、本発明の押さえ金具本体の一例を示す斜視図であり、図２は、その横断面図である。
【００３２】
図１および図２に示すように、押さえ金具本体１はその長手方向の二端縁に底面部材に垂直にＬ字型に設けたフランジ３を備える。また、底面部材２の横断面は、垂直方向に山４と深さが同じ谷５を有する凹凸形状をなしており、さらにその山部には貫通したボルト孔６が設けられている。なお、フランジ３は、上端部が折り重ねてあるが、この折り重ねは必須ではない。なお、本発明において「垂直」または「垂直方向」というのは、厳密な90°のみならず、その前後数度の許容範囲を含むことを意味する。
【００３３】
押さえ金具本体の底面部材２に垂直方向に山４と谷５を設けるのは、底面部材の剛性を高めるため、およびワッシャを介してボルト締めしたときに、その締め付け力を谷部５に集中させ単位面積当たりの押圧力を高めてネット状シートを強固に固定保持するためである。なお、山や谷の形状には特に制限はないが、図１に示すように台形にしておくのが、ネット状シートとの接触面積が大きくなるので好ましい。山および谷の個数にも制限はないが、それぞれ複数個であることが望ましい。
【００３４】
図２に示す谷の幅Ｗａ、Ｗｂ、Ｗｃは、同じ値であってもよいし、多少異なる値であってもよい。また、山の幅ＷｄとＷｅは必ずしも同じ値でなくてもよい。それぞれボルト孔６を設けるのに充分な幅であればよい。
【００３５】
押さえ金具本体のボルト孔を底面部材の山部に設けるのは、ボルトの締め付け力を底面部材２の谷の押さえ面に無駄なく伝達するためである。ボルト孔は、押さえ金具本体の長手方向に長い形状にしておくのがよい。それは、壁面パネルの枠に設けたボルト孔と押さえ金具本体およびワッシャの各ボルト孔との位置合わせが容易になるからである。
【００３６】
なお、図２に示すようにフランジ３の先端を折り返しておけば、端部の剛性を高めることができ、また作業時に安全に取り扱うことができるという利点がある。
【００３７】
押さえ金具本体のもう一つの例は、本体の少なくとも一つの谷の深さが他の谷の深さと比べて浅くなっている押さえ金具本体である。この押さえ金具本体の機能、効果については後述する。
【００３８】
図３は、本発明の押さえ金具本体の他の例を示す斜視図、図４は、その横断面図である。この例では、底面部材２は、山部４とその両側の谷部５を有する。そして谷部５にはボルト孔６が設けられている。
【００３９】
図４に示すＷｆとＷｇは、ボルト孔６を設けるの充分な幅であればよく、ＷｆとＷｇが同じ幅である必要はない。この押さえ金具本体は、後述するように、壁面パネルの枠に設けた凹凸部にかぶさるので、山の幅Ｗｈは、その凸部の幅以上とする。
【００４０】
図５は、本発明の押さえ金具のワッシャ示す斜視図で、図５の（ａ）は押圧リブを有するワッシャの例、図５の（ｂ）はフランジを有するワッシャの例である。
【００４１】
図５の（ａ）に示すワッシャ１２は、矩形の底板１０を有し、その底板の相対する二端縁に押さえ金具本体の谷部を押圧するための押圧用リブ８ａ、８ｂが下向き（補強用リブ７ａ、７ｂとは逆の向き）に設けられている。さらに、底板の他の二端縁には上記の押圧用リブと反対方向に曲げられたワッシャ補強用リブ７ａ、７ｂが設けられている。また、底板１０には貫通したボルト孔１１が設けられている。
ワッシャの長さ［図５(a)のL１］は、図２および図４に示す押さえ金具本体の底面部材の内幅W１（フランジ３に折り返しがある場合は、図２または図４のＷ２）と同等かそれよりわずかに狭くする。ワッシャの幅（図５のＷ３）や底板およびフランジの厚みは、ワッシャの必要強度や押さえ金具本体の長さ等を考慮して定めればよい。
【００４２】
ワッシャの対向する２辺に押圧用リブ８ａ、８ｂを設けるのはワッシャの剛性を高めると共に、ボルトによる締め付け力を押さえ金具本体の谷底に伝達するためである。後述の図１１に押さえ金本体とワッシャとの組合せ状態を示してある。この押圧用リブ８ａ、８ｂを設けることにより、ボルトによる締め付け力は、押さえ金具本体の谷部、特に押さえ金本体の両端部分の谷に強く伝達され、ネットの保持力が大きくなる。
【００４３】
押圧用リブの高さ［図５（ａ）のＬｈ］は、図１１に示すように押さえ金具本体と組み合わせたときに、その谷底の上面に達するように決めればよい。ボルトの締付け力によるワッシャの底板のわずかな撓みを考慮すれば、押圧用リブの高さＬｈを、押さえ金具本体の谷底上面に達する高さよりもやや高くしておくのが望ましい。
【００４４】
ワッシャの他の対向する２辺にワッシャ補強用リブ７ａ、７ｂを設けるのは、ボルト締めにより発生するワッシャの長手方向の撓みを防止し、ボルトの締付け力を押圧用リブに無駄なく伝達するためである。
【００４５】
次に、図５の（ｂ）に示すワッシャ１３は、上記の押圧用リブ８ａ、８ｂの代わりにフランジ１８ａ、１８ｂを設けた以外は同図の（ａ）に示したワッシャと同じである。
【００４６】
ワッシャの底板の二端縁に設けたフランジ１８ａおよび１８ｂは、前記の押さえ金具本体のフランジ３に嵌合するように、即ち、上からかぶせることができるように、折返し付きフランジとなっている。このフランジ１８ａ、１８ｂを設けるのは、ワッシャの剛性を高めるだけでなく、次のような効果がある。
【００４７】
図１および図３に示すように、押さえ金具本体１には、その二長辺に長手方向にフランジ３を設けてある。このフランジ３は、図６に示すように、ワッシャ１３のフランジ１８ａ、１８ｂと嵌合する。そして、ボルトの締め付け力をこのフランジ３で受けて、その締め付け力を押さえ金具本体の底面部材２に伝達する。このように、ワッシャのフランジを押さえ金具本体のフランジに嵌合させて本体のフランジにボルトの締付け力を伝達することにより、締付け力がボルト周辺だけに集中することなく、押さえ金具本体に均等に伝達される。また、このフランジを本体のフランジに嵌合させることにより、ボルト締めを行ったときに押さえ金具本体が湾曲するといったような変形を防止することもできる。
【００４８】
フランジの長さＬ３をフランジが設けられている底板の縁１９の長さＷ４以上とするのは、ボルトによる締付け力を確実に押さえ金具本体のフランジに伝達するためである。このフランジが底板の縁の長さＷ４よりも短いと、フランジのワッシャ補強効果が不足して、ボルトの締付け力が押さえ金具本体に均一に伝達され難くなる。
【００４９】
図６は、押さえ金具本体１と図５の（ｂ）に示したワッシャ１３とを重ね合わせてボルト１６を通した状態を示す側面図である。同図では、ボルトとワッシャ１３の間に通常の座金１５を用いた例を示してある。この座金は必ずしも用いなくてもよいが、締め付け力を均等に伝達するには使用するのが好ましい。
【００５０】
図６に示すように、ワッシャのフランジの高さｈ１（押さえ面９からフランジ内側折り返しのＡ点の間）は、押さえ金具本体の山頂からのフランジの高さｈ２（押さえ金具本体の山頂から押さえ金具本体のフランジの折り返し点A間）より１ｍｍ以下で範囲で低くしておくのが好ましい。即ち、押さえ金具本体のフランジにワッシャのフランジをかぶせた状態で、ワッシャの押さえ面９と押さえ金具本体の山頂間に隙間を設けないか、設ける場合は１ｍｍ以下の隙間D（D＝ｈ２−ｈ１）を設けるのである。このような隙間を設けると、ボルトを締め付けたときに、先ずワッシャのフランジから押さえ金具本体のフランジにボルトの締付け力が伝達され、フランジと繋がっている谷部５に押圧力が作用する。次いで、ボルトを締め付けるとワッシャが少し撓み、押さえ金具本体の山頂に締付け力が伝達され、押さえ金具本体の底面部材の全谷部に締付け力が伝達される。このようにして、この押さえ金具によれば、押さえ金具本体の底面部材の谷部に均一に強い締付け力が作用するのである。なお、前記の隙間Dは通常０でよいが、ワッシャに用いる材質や板厚によってどの程度の隙間を設けるかを決めればよい。
【００５１】
上記のようにワッシャ１３のフランジ１８ａ、１８ｂが押さえ金具本体のフランジ３と嵌合することによって、ボルト１６を締め付けた場合にも、その締付け力がボルト周辺部だけに集中することがないので、本体の底面部材２の変形が防止される。従って、本体の底面部材２の谷部は、その全長でネット状シート（図１０に示す２３）を均等に強く押さえることになる。このことは、図１４に示した例のように、ネット状シートをブラケットに引っかける方法に較べて、同シートの破損や離脱が著しく減少するという大きな効果をもたらす。
【００５２】
図７は、中央部が格子状になった壁面パネルの一例を示す図で、図７（ａ）は法面の内側になる面の平面図、図７（ｂ）は側面図である。この壁面パネル２２の枠２０に、本発明の押さえ金具を取付けるための雌ねじを設けたボルト孔２１を設けておく。なお、この壁面パネルには、ピン孔２６が所要個数設けられており、この孔にピンを挿入して多数の壁面材を連結することができる。
【００５３】
図８は、壁面パネルの下方の枠に本発明の押さえ金具を取付けた状態を示す平面図である。押さえ金具本体１にワッシャ１２を重ね、ボルトにより、壁面パネル２２の下側の枠に螺着して固定した状態を示す。なお、必要により壁面パネルの上方（例えばパネル中央部）の枠にも押さえ金具を取付けてもよい。このようにすれば、１枚の壁面パネルに２枚のネット状シートがとりつけられるので、壁面パネルの脱落防止効果がより確かになる。
【００５４】
次に、本発明のネット状シートの取付け方法について説明する。
【００５５】
図９は、壁面パネル２２の枠２０にネット状シート２３を本発明の押さえ金具で取付けて、法面４０に設置した状態を示す断面図である。ネット状シート２３は、土砂２５の中に埋設され、壁面パネルが法面から脱落するのを防止する。なお、図７で説明したように壁面パネルは複数個のピンで相互に連結して使用される。
【００５６】
図１０は、本発明のフランジを有するワッシャ（図５の（ｂ）に示すワッシャ）を用いた押さえ金具を、壁面パネルの枠に設置した状態を示す断面図で、図９の破線で囲った部分の拡大図である。この図に基づき、ネット状シートを壁面パネルの枠に取付ける方法について以下に説明する。
【００５７】
先ず、壁面パネルの枠２０にネット状シート２３の一端を置き、その上に押さえ金具本体１を置く。次いで、その上にワッシャ１３をそのフランジが押さえ金具のフランジに重なるようにして置く。そして押さえ金具本体１とワッシャ１３のボルト孔を合わせてボルト１６を挿入し、壁面パネルの枠に設けたボルト孔に螺着し、ボルトの締め付け力により押さえ金具本体１でネット状シートを枠２０に押圧して固定する。
【００５８】
図１１の（ａ）および（ｂ）は、ネット状シートの好ましい取付け方法を示す図である。同図の（ａ）は、押さえ金具本体の中央の谷の深さが、他の谷の深さよりも浅い押さえ金具本体１と、押圧リブを有するワッシャ１２（図５の（ａ）に示すワッシャ）とを用い、さらに横断面がコの字形のチャンネル２６を使用して、ネット状シート２３を壁面パネルに取付けた状態を示す側面図である。図１１の（ｂ）は、本体中央の谷の深さが他の谷の深さよりも浅い押さえ金具本体１を用い、壁面パネルと押さえ金具本体との間に二重に折り返したネット状シート２３を挟んで壁面パネルに取付けた状態を示す側面図である。
【００５９】
好ましい取付け方法の１つの例は、図１１（ａ）に示すように、谷の一つ（この例では、中央の谷）が浅い押さえ金具本体１と、押圧用リブを有するワッシャ１２とを用い、さらに横断面がコの字形のチャンネル２６を使用する方法である。この方法は次のようなものである。
【００６０】
壁面パネルの枠２０と押さえ金具本体の底面部材２との間にネット状シート２３を挟み、かつ断面コの字形のチャンネル２６をその凹部が押さえ金具本体の浅い谷部２７にネット状シートを介して重なるように壁面パネル枠に置く。次いで、ワッシャの押圧用リブ８ａ、８ｂが押さえ金具本体のフランジ３と平行になるようにして、押さえ金具本体のボルト孔とワッシャのボルト孔とを合わせてそれらの孔にボルトを挿入し、壁面パネルの枠に設けたボルト孔に螺着する。
【００６１】
図１１の（ａ）に示すように、横断面がコの字形のチャンネル２６を用いることにより、ネット状シートがパネルの枠と押さえ金具間で屈曲して固定されるので、シートと押さえ金具との摩擦抵抗が大きくなって、ネット状シート２３にかかる土圧等による矢印方向の引張りに対してより強固に固定ができる。
【００６２】
好ましい取付け方法のもう一つの例は、図１１の（ｂ）に示すように、金具本体１と押圧リブ８ａ、８ｂを有するワッシャ１２とを用いると共に、棒状体２８を用いる方法である。この場合は、押さえ金具本体は、図示のような谷の一つが浅いものでなくてもよい。
【００６３】
この方法は、図１１の（ｂ）に示すように、壁面パネルの枠２０と押さえ金具本体１の底面部材２との間に、ネット状シート２３の端部で折り返して二重にしたネット状シートをその折り返し部を除いて挟むと共に、ネット状シートの折り返し点の内側に棒状体２８を挿入してネット状シートの抜けだしをより強固に防止する方法である。この方法ではネット状シートを二重にすること、および棒状体を用いることにより土圧等による矢印方向の引張りによるネット状シートのずれを強固に防止することができる。なお、棒状体とは、中実の棒状体以外に中空の管体も含み、横断面は円形であっても多角形であってもよい。その材質は鋼や樹脂等が好ましい。また、棒状体の直径は特に制限されないが４〜12ｍｍ程度が好ましい。
【００６４】
なお、図１１の（ｂ）に示す方法においても、同図の（ａ）に示したようにコ字形のチャンネル２６を使用してもよい。即ち、図１１の（ａ）と（ｂ）の方法の組合せである。それによって、ネットの固定は一層強固になる。
【００６５】
図１２は、本発明のさらにもう一つのネット状シートの取付け方法を示す断面図である。この方法では、図示のように壁面パネルの枠２０に予め凹凸を設けておく。そして、ネット状シート２３をこの枠と押さえ金具本体１との間に挟み、ワッシャ１２を重ねてボルトで締め付ける。そうすると、ネット状シート２３は枠の凹凸に沿って図示のように変形して挟まれる。それによって、ネット状シート２３の抜け出しが防止される。
【００６６】
図１２には壁面パネルの枠２０に予め二つの凸部を設けておく方法を示したが、この凸部は一つでもよい。その場合は、図３および図４に示した押さえ金具本体を用いて上記と同じようにネット状シートを挟む。そうすると、ネット状シート２３は中央部が枠の凸部と押さえ金具本体の底面部材の山とによって変形して挟まれ、固定される。
【００６７】
上記の方法によれば、図１１の（ａ）に示したチャンネル２６を使用する必要がない。なお、図１２には図５の（ａ）に示したワッシャを用いた例を示したが、ワッシャは図５の（ｂ）に示したものを用いてもよい。
【００６８】
図１３は、本発明の押さえ金具本体を複数個重ねた状態を示す。図示のように、本発明の押さえ金具本体は、コンパクトに積み重ねることが可能であり、運搬しやすく保管に大きなスペースをとらない。これは、山間部のような施工現場に搬送し保管する場合には大きな利点になる。
【産業上の利用可能性】
【００６９】
本発明の押さえ金具によれば、ネット状シートを確実に固定でき固定部でシートが破断することはなく、壁面材の法面からの脱落を防止することができ、補修等のメンテナンスが軽減される。また、本発明の取付け方法は、施工現場で容易に実施することができる。
【図面の簡単な説明】
【００７０】
【図１】本発明の押さえ金具の本体の一例の斜視図である。
【図２】図１の押さえ金具本体の横断面図である。
【図３】本発明の押さえ金具の本体の他の一例の斜視図である。
【図４】図２の押さえ金具本体の横断面図である
【図５】本発明のワッシャの斜視図である。
【図６】本発明の押さえ金具全体の一例を示す側面図である
【図７】壁面パネルの平面図と側面図である。
【図８】壁面パネルに本発明の押さえ金具を取付けた状態を示す平面図である。
【図９】本発明の押さえ金具の壁面パネルの枠に設置する方法を説明するための断面図である。
【図１０】図９の一部を拡大した図である。
【図１１】本発明の押さえ金具を壁面パネルの枠に設置する方法の他の例を示す断面図である。
【図１２】本発明の押さえ金具を壁面パネルの枠に設置する方法の更に他の例を示す断面図である。
【図１３】本発明の押さえ金具本体の保管状態を示す斜視図である。
【図１４】ネット状シートの壁面パネルへの固定方法の従来例を示す図である。
【符号の説明】
【００７１】
１・・・押さえ金具本体
２・・・押さえ金具の底面部材
３・・・押さえ金具本体のフランジ
４・・・押さえ金具本体の山
５・・・押さえ金具本体の谷
６・・・押さえ金具本体のボルト孔
７ａ、７ｂ・・・ワッシャ補強用リブ
８ａ、８ｂ・・・押圧用リブ
９・・・押さえ面
１０・・・底板
１１・・・ボルト孔
１２、１３・・・ワッシャ
１６・・・ボルト
１８ａ、１８ｂ・・・フランジ
２０・・・壁面パネルの枠
２１・・・ねじ孔
２２・・・壁面パネル
２３・・・ネット状シート
２４・・・格子
２５・・・土砂
４２・・・連結ブラケット
【図１】
2006200289.tif 000003
【図２】
2006200289.tif 000004
【図３】
2006200289.tif 000005
【図４】
2006200289.tif 000006
【図５】
2006200289.tif 000007
【図６】
2006200289.tif 000008
【図７】
2006200289.tif 000009
【図８】
2006200289.tif 000010
【図９】
2006200289.tif 000011
【図１０】
2006200289.tif 000012
【図１１】
2006200289.tif 000013
【図１２】
2006200289.tif 000014
【図１３】
2006200289.tif 000015
【図１４】
2006200289.tif 000016